(57)【要約】 【課題】ユーザの手を煩わせることなく、ドライブレコーダの撮影画像を有効利用する。【解決手段】画像提供システムは、ドライブレコーダと、車両のナンバープレートを撮影する撮影装置と、抽出されたナンバープレートの文字情報と、撮影装置の識別情報と、撮影日時情報とを関連づける第１制御装置と、ナンバープレートの文字情報と、撮影装置の識別情報と、撮影日時情報と、撮影装置の設置場所情報とを関連づけて管理する第２制御装置と、第２制御装置から取得した各情報と、撮影されたナンバープレートの車両のユーザ情報と、ドライブレコーダの識別情報とを関連づけて管理し、第２制御装置が関連づけた各情報と、撮影装置がナンバープレートを撮影した日時前後のドライブレコーダの撮影画像とを関連づけて管理する第３制御装置と、認証処理に成功したユーザにドライブレコーダの撮影画像を提供する画像提供部と、を備える。【選択図】図１
2020135552.tif 000002
【特許請求の範囲】
【請求項１】
車両に搭載され、車両の周辺の画像を撮影するドライブレコーダと、
特定の地点に設けられ、前記特定の地点の近くを通過した車両のナンバープレートを撮影する撮影装置と、
前記撮影装置の撮影画像から前記ナンバープレートの文字情報を抽出し、抽出されたナンバープレートの文字情報と、前記撮影装置の識別情報と、前記撮影装置による撮影日時情報とを関連づける第１制御装置と、
前記第１制御装置が関連づけた前記ナンバープレートの文字情報と、前記撮影装置の識別情報と、前記撮影日時情報とを取得するとともに、取得した各情報と、前記ナンバープレートを撮影した前記撮影装置の設置場所情報とを関連づけて管理する第２制御装置と、
前記第２制御装置が関連づけた各情報を取得するとともに、取得した各情報と、撮影された前記ナンバープレートの車両のユーザ情報と、前記車両に搭載された前記ドライブレコーダの識別情報とを関連づけて管理するとともに、前記第２制御装置が関連づけた各情報と、前記撮影装置が前記ナンバープレートを撮影した日時前後の前記ドライブレコーダの撮影画像とを関連づけて管理する第３制御装置と、
前記撮影装置により撮影された前記ナンバープレートの車両のユーザが、前記ナンバープレートの文字情報を含む所定の認証情報を入力する入力装置と、
前記入力装置で入力された前記認証情報に基づいて認証処理を行う認証部と、
前記認証部による前記認証処理に成功すると、前記認証処理に成功したユーザの車両の前記ナンバープレートに対応する前記ドライブレコーダの撮影画像を前記第３制御装置から取得して当該ユーザに提供する画像提供部と、を備える、画像提供システム。
【請求項２】
車両のユーザが入力する前記所定の認証情報は、車両のナンバープレートの文字情報と、ＩＤと、パスワードとを含む、請求項１に記載の画像提供システム。
【請求項３】
前記第１制御装置は、前記撮影装置の設置場所情報を管理しておらず、前記抽出されたナンバープレートの文字情報と、前記撮影装置の識別情報と、前記撮影装置による撮影日時情報とを関連づけて前記第２制御装置に伝送した後、前記撮影装置の撮影画像を削除する、請求項１又は２に記載の画像提供システム。
【請求項４】
前記第１制御装置及び前記第２制御装置は、前記第１制御装置から前記第２制御装置に前記抽出されたナンバープレートの文字情報と前記撮影装置による撮影日時情報とを関連づけて伝送する一方向のみの通信を行う、請求項１乃至３のいずれか一項に記載の画像提供システム。
【請求項５】
前記第２制御装置は、車両のユーザ情報を管理することなく、前記ナンバープレートの文字情報と、前記撮影日時情報と、前記ナンバープレートを撮影した前記撮影装置の識別情報と、前記撮影装置の設置場所情報とを関連づけて管理する、請求項１乃至４のいずれか一項に記載の画像提供システム。
【請求項６】
前記ドライブレコーダの撮影画像、前記ドライブレコーダの識別情報、及び前記ドライブレコーダを搭載した車両のユーザ情報を、インターネットを介して取得する第４制御装置を備え、
前記第３制御装置は、前記第４制御装置から前記ドライブレコーダの撮影画像、前記ドライブレコーダの識別情報、及び前記ドライブレコーダを搭載した車両のユーザ情報を関連づけて取得する、請求項１乃至５のいずれか一項に記載の画像提供システム。
【請求項７】
前記画像提供部にて提供された画像からユーザが選択した画像を、前記第３制御装置から取得して印刷するプリント装置を備える、請求項１乃至６のいずれか一項に記載の画像提供システム。
【請求項８】
前記第３制御装置は、
前記ドライブレコーダの識別情報と、前記ナンバープレートの文字情報と、車両のユーザのＥＴＣ（Electronic Toll Collection System）カード情報と、車両のユーザ情報と、を関連付けて管理する第５制御装置と、
前記ドライブレコーダの識別情報と、前記ナンバープレートの文字情報と、前記ドライブレコーダの撮影画像とを関連づけて管理する第６制御装置と、を有し、
前記画像提供部は、前記認証処理に成功したユーザの車両の前記ナンバープレートに合致する前記ドライブレコーダの撮影画像を前記第６制御装置から取得して当該ユーザに提供する、請求項１乃至７のいずれか一項に記載の画像提供システム。
【請求項９】
商品及び有料サービスの少なくとも一方に関する特典情報を登録する第７制御装置と、
前記第３制御装置で管理されている各情報と前記特典情報とに基づいて、前記撮影装置で撮影された前記ナンバープレートの車両のユーザに付与する前記特典情報の適用率を算出する適用率算出部と、
前記適用率を反映させた前記特典情報を前記ユーザに提供する特典情報提供部と、を備える、請求項１乃至８のいずれか一項に記載の画像提供システム。
【請求項１０】
前記特典情報は値引き情報を含んでおり、
前記適用率算出部が算出する前記適用率は、前記値引き情報の値引き率を含んでおり、
前記特典情報提供部は、前記値引き率を反映させた前記値引き情報を前記ユーザに提供する、請求項９に記載の画像提供システム。
【請求項１１】
車両に搭載されるドライブレコーダにて、車両の周辺の画像を撮影する工程と、
特定の地点に設けられる撮影装置にて、前記特定の地点を通過した車両のナンバープレートを撮影する工程と、
前記撮影装置の撮影画像から前記ナンバープレートの文字情報を抽出し、抽出されたナンバープレートの文字情報と前記撮影装置による撮影日時情報とを関連づけて、第１制御装置から第２制御装置に送信する工程と、
前記第１制御装置が関連づけた前記ナンバープレートの文字情報と前記撮影日時情報とを前記第２制御装置にて取得するとともに、取得した各情報と、前記ナンバープレートを撮影した前記撮影装置の識別情報と、前記撮影装置の設置場所情報とを前記第２制御装置で関連づけて管理する工程と、
前記第２制御装置が関連づけた各情報を第３制御装置にて取得するとともに、取得した各情報と、撮影された前記ナンバープレートの車両のユーザ情報と、前記車両に搭載された前記ドライブレコーダの識別情報とを前記第３制御装置にて関連づけて管理するとともに、前記第２制御装置が関連づけた各情報と、前記撮影装置が前記ナンバープレートを撮影した日時前後の前記ドライブレコーダの撮影画像とを前記第３制御装置にて関連づけて管理する工程と、
前記撮影装置により撮影された前記ナンバープレートの車両のユーザが入力装置にて入力した認証情報に基づいて認証処理を行う工程と、
前記認証処理に成功すると、前記認証処理に成功したユーザの車両の前記ナンバープレートに合致する前記ドライブレコーダの撮影画像を前記第３制御装置から取得して当該ユーザに提供する工程と、を備える、画像提供方法。
【発明の詳細な説明】
【技術分野】
【０００１】
本開示は、ドライブレコーダで撮影した画像を提供する画像提供システム及び画像提供方法に関する。
【背景技術】
【０００２】
車両の周辺の画像を撮影するドライブレコーダが普及している。ドライブレコーダで撮影した画像は、事故や何らかのトラブルに巻き込まれた場合に再生して検証を行う等の目的で利用されることが多い。最近のドライブレコーダは、高画質の画像を自動で撮影できることから、ドライブレコーダで撮影した画像を鑑賞用として利用できるようにした提案がなされている（特許文献１）。
【先行技術文献】
【特許文献】
【０００３】
【特許文献１】特開２００７−９８８６５号公報
【発明の概要】
【発明が解決しようとする課題】
【０００４】
しかしながら、特許文献１では、鑑賞用の画像を撮影する場所を事前にユーザが指定しなければならず、操作が面倒である。また、ユーザが地図等で撮影場所を事前に指定したとしても、実際に現地に出向いてみないと、見栄えのする画像が撮影できる場所かどうかはわからないため、結局、現地でユーザが撮影場所を指定しなければならず、ユーザの手間がかかるのが実情である。さらに、ドライブレコーダは、車両が走行している間は、継続して撮影を行うため、撮影済の画像の中から、所望の画像を抽出するには、膨大な時間がかかってしまう。
【０００５】
本開示は、ユーザの手を煩わせることなく、ドライブレコーダの撮影画像を鑑賞用として有効利用できる画像提供システム及び画像提供方法を提供するものである。
【課題を解決するための手段】
【０００６】
上記の課題を解決するために、本開示の一態様では、車両に搭載され、車両の周辺の画像を撮影するドライブレコーダと、
特定の地点に設けられ、前記特定の地点の近くを通過した車両のナンバープレートを撮影する撮影装置と、
前記撮影装置の撮影画像から前記ナンバープレートの文字情報を抽出し、抽出されたナンバープレートの文字情報と、前記撮影装置の識別情報と、前記撮影装置による撮影日時情報とを関連づける第１制御装置と、
前記第１制御装置が関連づけた前記ナンバープレートの文字情報と、前記撮影装置の識別情報と、前記撮影日時情報とを取得するとともに、取得した各情報と、前記ナンバープレートを撮影した前記撮影装置の設置場所情報とを関連づけて管理する第２制御装置と、
前記第２制御装置が関連づけた各情報を取得するとともに、取得した各情報と、撮影された前記ナンバープレートの車両のユーザ情報と、前記車両に搭載された前記ドライブレコーダの識別情報とを関連づけて管理するとともに、前記第２制御装置が関連づけた各情報と、前記撮影装置が前記ナンバープレートを撮影した日時前後の前記ドライブレコーダの撮影画像とを関連づけて管理する第３制御装置と、
前記撮影装置により撮影された前記ナンバープレートの車両のユーザが、前記ナンバープレートの文字情報を含む所定の認証情報を入力する入力装置と、
前記入力装置で入力された前記認証情報に基づいて認証処理を行う認証部と、
前記認証部による前記認証処理に成功すると、前記認証処理に成功したユーザの車両の前記ナンバープレートに対応する前記ドライブレコーダの撮影画像を前記第３制御装置から取得して当該ユーザに提供する画像提供部と、を備える、画像提供システムが提供される。
【０００７】
車両のユーザが入力する前記所定の認証情報は、車両のナンバープレートの文字情報と、ＩＤと、パスワードとを含んでいてもよい。
【０００８】
前記第１制御装置は、前記撮影装置の設置場所情報を管理しておらず、前記抽出されたナンバープレートの文字情報と、前記撮影装置の識別情報と、前記撮影装置による撮影日時情報とを関連づけて前記第２制御装置に伝送した後、前記撮影装置の撮影画像を削除してもよい。
【０００９】
前記第１制御装置及び前記第２制御装置は、前記第１制御装置から前記第２制御装置に前記抽出されたナンバープレートの文字情報と前記撮影装置による撮影日時情報とを関連づけて伝送する一方向のみの通信を行ってもよい。
【００１０】
前記第２制御装置は、車両のユーザ情報を管理することなく、前記ナンバープレートの文字情報と、前記撮影日時情報と、前記ナンバープレートを撮影した前記撮影装置の識別情報と、前記撮影装置の設置場所情報とを関連づけて管理してもよい。
【００１１】
前記ドライブレコーダの撮影画像、前記ドライブレコーダの識別情報、及び前記ドライブレコーダを搭載した車両のユーザ情報を、インターネットを介して取得する第４制御装置を備え、
前記第３制御装置は、前記第４制御装置から前記ドライブレコーダの撮影画像、前記ドライブレコーダの識別情報、及び前記ドライブレコーダを搭載した車両のユーザ情報を関連づけて取得してもよい。
【００１２】
前記画像提供部にて提供された画像からユーザが選択した画像を、前記第３制御装置から取得して印刷するプリント装置を備えてもよい。
【００１３】
前記第３制御装置は、
前記ドライブレコーダの識別情報と、前記ナンバープレートの文字情報と、車両のユーザのＥＴＣ（Electronic Toll Collection System）カード情報と、車両のユーザ情報と、を関連付けて管理する第５制御装置と、
前記ドライブレコーダの識別情報と、前記ナンバープレートの文字情報と、前記ドライブレコーダの撮影画像とを関連づけて管理する第６制御装置と、を有し、
前記画像提供部は、前記認証処理に成功したユーザの車両の前記ナンバープレートに合致する前記ドライブレコーダの撮影画像を前記第６制御装置から取得して当該ユーザに提供してもよい。
【００１４】
商品及び有料サービスの少なくとも一方に関する特典情報を登録する第７制御装置と、
前記第３制御装置で管理されている各情報と前記特典情報とに基づいて、前記撮影装置で撮影された前記ナンバープレートの車両のユーザに付与する前記特典情報の適用率を算出する適用率算出部と、
前記適用率を反映させた前記特典情報を前記ユーザに提供する特典情報提供部と、を備えてもよい。
【００１５】
前記特典情報は値引き情報を含んでおり、
前記適用率算出部が算出する前記適用率は、前記値引き情報の値引き率を含んでおり、
前記特典情報提供部は、前記値引き率を反映させた前記値引き情報を前記ユーザに提供してもよい。
【００１６】
本発明の他の一態様では、車両に搭載されるドライブレコーダにて、車両の周辺の画像を撮影する工程と、
特定の地点に設けられる撮影装置にて、前記特定の地点を通過した車両のナンバープレートを撮影する工程と、
前記撮影装置の撮影画像から前記ナンバープレートの文字情報を抽出し、抽出されたナンバープレートの文字情報と前記撮影装置による撮影日時情報とを関連づけて、第１制御装置から第２制御装置に送信する工程と、
前記第１制御装置が関連づけた前記ナンバープレートの文字情報と前記撮影日時情報とを前記第２制御装置にて取得するとともに、取得した各情報と、前記ナンバープレートを撮影した前記撮影装置の識別情報と、前記撮影装置の設置場所情報とを前記第２制御装置で関連づけて管理する工程と、
前記第２制御装置が関連づけた各情報を第３制御装置にて取得するとともに、取得した各情報と、撮影された前記ナンバープレートの車両のユーザ情報と、前記車両に搭載された前記ドライブレコーダの識別情報とを前記第３制御装置にて関連づけて管理するとともに、前記第２制御装置が関連づけた各情報と、前記撮影装置が前記ナンバープレートを撮影した日時前後の前記ドライブレコーダの撮影画像とを前記第３制御装置にて関連づけて管理する工程と、
前記撮影装置により撮影された前記ナンバープレートの車両のユーザが入力装置にて入力した認証情報に基づいて認証処理を行う工程と、
前記認証処理に成功すると、前記認証処理に成功したユーザの車両の前記ナンバープレートに合致する前記ドライブレコーダの撮影画像を前記第３制御装置から取得して当該ユーザに提供する工程と、を備える、画像提供方法が提供される。
【発明の効果】
【００１７】
本開示によれば、ユーザの手を煩わせることなく、ドライブレコーダの撮影画像を鑑賞用として有効利用できる。
【図面の簡単な説明】
【００１８】
【図１】本開示の第１の実施形態による画像提供システムの概略構成を示すブロック図。
【図２】撮影装置で撮影した画像をカメラ制御サーバに送信する処理手順を示すフローチャート。
【図３】ナンバープレートの一例を示す図。
【図４】カメラ制御サーバからナンバープレート管理サーバに情報を送信する処理手順を示すフローチャート。
【図５】ナンバープレート管理サーバからデータベースサーバに情報を送信する処理手順を示すフローチャート。
【図６】ドライブレコーダから画像管理サーバに画像をアップロードする処理手順を示すフローチャート。
【図７】スマートフォン等の表示パネルに表示されるユーザ登録画面の一例を示す図。
【図８】ナンバープレート認証画面の一例を示す図。
【図９】ドライブレコーダのユーザが画像管理サーバで管理する画像にアクセスする場合の所定手順を示すフローチャート。
【図１０Ａ】写真閲覧画面の一例を示す図。
【図１０Ｂ】地図の一例を示す図。
【図１０Ｃ】画像のアップロードを指示する画面を示す図。
【図１１】画像管理サーバへの撮影画像の自動登録を行う処理手順を示すフローチャート。
【図１２】本開示の第２の実施形態による画像提供システムの概略構成を示すブロック図。
【図１３】写真選択画面を示す図。
【図１４Ａ】写真購入画面を示す図。
【図１４Ｂ】写真購入画面の続きを示す図。
【図１５】本開示の第３の実施形態による画像提供システムの概略構成を示すブロック図。
【図１６】図１５のプリントシステムの正面図。
【図１７】ＰＣの表示パネルに表示されるナンバープレート認証画面の一例を示す図。
【図１８Ａ】ＰＣの表示パネルに表示される写真選択画面を示す図。
【図１８Ｂ】ＰＣの表示パネルに表示されるアップロード中の画面を示す図。
【図１８Ｃ】ユーザの選択した画像と枚数をまとめて表示する画面を示す図。
【図１８Ｄ】サービス利用料金を表示する画面を示す図。
【図１９】本開示の第４の実施形態による画像提供システムの概略構成を示すブロック図。
【発明を実施するための形態】
【００１９】
以下、図面を参照して実施の形態について説明する。なお、本件明細書と添付図面においては、理解のしやすさと図示の便宜上、一部の構成部分を省略、変更または簡易化して説明および図示しているが、同様の機能を期待し得る程度の技術内容も、本実施の形態に含めて解釈することとする。また、本件明細書に添付する図面においては、図示と理解のしやすさの便宜上、適宜縮尺および縦横の寸法比等を、実物から変更し誇張してある。
【００２０】
（第１の実施形態）
図１は本開示の第１の実施形態による画像提供システム１の概略構成を示すブロック図である。図１の画像提供システム１は、ドライブレコーダ２と、撮影装置３と、カメラ制御サーバ（第１制御装置）４と、ナンバープレート管理サーバ（第２制御装置）５と、データベースサーバ（第３制御装置、第５制御装置）６と、画像管理サーバ（第３制御装置、第６制御装置）７と、ウェブサーバ（第４制御装置）８と、入力装置１５と、認証部１６と、画像提供部１７とを備えている。
【００２１】
各サーバ４〜８は、一つ以上のコンピュータを有する制御装置であり、具体的な構成は問わない。各サーバ４〜８は、データやファイルを格納する不図示の記録装置を有する。記録装置は、コンピュータに内蔵されていてもよいし、コンピュータに有線又は無線で接続されていてもよい。また、各サーバ４〜８のうち、少なくとも一部のサーバは、１箇所に集中して設けられていてもよいし、分散して設けられていてもよい。また、各サーバ４〜８のうち、少なくとも一部のサーバの機能は、コンピュータによって実行されるソフトウェアの形態で提供されてもよい。
【００２２】
ドライブレコーダ２は、車両に搭載されており、指定された範囲の動画を継続して撮影する。ドライブレコーダ２が撮影する動画（以下、撮影画像と呼ぶ）の画角と撮影方向は、ユーザが任意に設定することができる。ユーザは、ドライブレコーダ２の撮影画像を鑑賞用として利用したい場合には、車外の風景等が撮影できるように、予め画角と撮影方向を調整しておく必要がある。あるいは、全天すなわち３６０度の画角で撮影するドライブレコーダ２を用いる場合は、画角と撮影方向を指定する必要はない。
【００２３】
ドライブレコーダ２は、撮影画像を撮影するカメラと、撮影画像を記録する記録装置を内蔵している。記録装置の記録容量が満杯になったら、日付の古い撮影画像を自動的に消去して新規の撮影画像を記録するようにしてもよい。あるいは、記録装置の記録容量が満杯になる前に、予備の記録装置や後述する画像管理サーバ７等に撮影画像を移動してもよい。
【００２４】
ドライブレコーダ２は、ワイヤレスでインターネットにアクセスするための無線通信機能を備えている。後述するように、ドライブレコーダ２は、インターネット９とウェブサーバ８を介して、撮影画像を画像管理サーバ７に送信することができる。無線通信機能は、３Ｇ、４Ｇ、５Ｇ等のセルラー通信、無線ＬＡＮ（Local Area Network）、Bluetooth（登録商標）、赤外線、電波、電磁波等を用いたＮＦＣ（Near Field Communication)、衛星通信など、種々の無線通信方式で無線通信を行う機能である。
【００２５】
ドライブレコーダ２は、車両が走行している間、継続して動画を撮影し続けることができる。また、ドライブレコーダ２は、車両が停止した場合や車両のエンジンが切れた場合に、自動的に撮影を中止してもよい。あるいは、ドライブレコーダ２は、ユーザから指示があった期間だけ、動画を撮影してもよい。
【００２６】
撮影装置３は、車両が走行する道路脇の特定の地点に設置されている。本実施形態では、特定の地点を複数箇所に設けて、各地点に撮影装置３を設置することを想定している。撮影装置３を設置する特定の地点は、例えば、観光地等の撮影スポットであり、景色のよい場所とか、著名な観光地、話題になっている場所などである。
【００２７】
撮影装置３は、道路を通過する車両のナンバープレートを撮影するために設けられている。撮影装置３は、所定時間ごとに、予め定めた方向を予め定めた画角で撮影する動作を繰り返す定点カメラである。あるいは、道路を走行する車両を検知するセンサを設けて、このセンサが車両を検知したときに、撮影装置３は撮影を行うようにしてもよい。
【００２８】
撮影装置３が撮影した画像は、撮影日時情報と、撮影装置３の識別情報（カメラＩＤ）とともにカメラ制御サーバ４に送信される。カメラ制御サーバ４は、撮影装置３の撮影画像から、ＯＣＲ（Optical Character Recognition）解析を行ってナンバープレートの文字情報を抽出する。１枚の撮影画像だけでは、正しく文字情報を抽出できないおそれがあるため、撮影装置３が撮影した複数枚の撮影画像に基づいて、ナンバープレートの文字情報を抽出してもよい。
【００２９】
カメラ制御サーバ４は、抽出されたナンバープレートの文字情報と、撮影日時情報と、撮影装置３の識別情報とを関連づけて、ナンバープレート管理サーバ５に送信する。
【００３０】
カメラ制御サーバ４には、複数の撮影装置３からの撮影画像、撮影日時情報、及び撮影装置３の識別情報が送られてくるが、カメラ制御サーバ４は、撮影装置３がどこに設置されているかを示す情報を管理していない。これは、カメラ制御サーバ４が不正にアクセスされたとしても、各撮影装置３から送信されてきた撮影画像がどの場所の撮影装置３で撮影されたものかを特定されないようにするためである。後述するように、カメラ制御サーバ４は、撮影装置３からの撮影画像を一時的に保持し、ナンバープレート管理サーバ５にナンバープレートの文字情報と、撮影日時情報と、撮影装置３の識別情報とを送信した後に撮影画像等を削除する。
【００３１】
ナンバープレート管理サーバ５は、カメラ制御サーバ４が関連づけたナンバープレートの文字情報と、撮影装置３の識別情報と、撮影日時情報とを取得するとともに、取得した各情報と、撮影装置３の設置場所情報とを関連づけて管理する。これらの情報に基づいて、ナンバープレート管理サーバ５は、どのナンバープレートの車がいつどこを通過したかを把握することができる。
【００３２】
カメラ制御サーバ４とナンバープレート管理サーバ５との通信は一方向通信であり、カメラ制御サーバ４からナンバープレート管理サーバ５には情報を送信できるが、逆方向の情報送信はできないようにしている。
【００３３】
ナンバープレート管理サーバ５は、カメラ制御サーバ４から送信された各情報を受信し、受信処理が完了したことをログに残すとともに、カメラ制御サーバ４に受信処理が完了したことを通知する。カメラ制御サーバ４は、受信処理が完了した旨の通知を受けると、正しく受信処理が行われたことを確認して、撮影装置３から送信された撮影画像等を削除する。また、カメラ制御サーバ４は、合わせてＯＣＲ解析したナンバープレートの文字情報と、撮影日時情報とを削除してもよい。このように、カメラ制御サーバ４は、一時的にしか、撮影画像等を持たないため、撮影画像を悪用されるおそれがなくなる。
【００３４】
データベースサーバ６と画像管理サーバ７は一つのサーバに統合することができる。これらサーバは、ナンバープレート管理サーバ５が関連づけた各情報を取得するとともに、取得した各情報と、撮影されたナンバープレートの車両のユーザ情報と、車両に搭載されたドライブレコーダ２の識別情報とを関連づけて管理するとともに、撮影装置３がナンバープレートを撮影した日時前後のドライブレコーダ２の撮影画像を取得して、ナンバープレート管理サーバ５が関連づけた各情報と、ドライブレコーダ２の撮影画像とを関連づけて管理する。
【００３５】
より詳細には、データベースサーバ６は、ナンバープレート管理サーバ５が関連付けた各情報に基づいて、撮影されたナンバープレートの車両に搭載されたドライブレコーダ２の識別情報と、当該ナンバープレートの文字情報と、当該車両のＥＴＣ（Electronic Toll Collection System）カード情報と、利用者氏名と、住所と、電話番号とを関連つけて管理する。
【００３６】
このように、データベースサーバ６は、車両のユーザの個人情報を管理するため、データベースサーバ６が管理する情報は、ナンバープレート管理サーバ５に送信されないようにするのが望ましい。
【００３７】
画像管理サーバ７は、ドライブレコーダ２の識別番号と、ナンバープレートの文字情報と、ドライブレコーダ２の撮影画像と、撮影場所情報と、撮影日時情報とを関連づけて管理する。ドライブレコーダ２の撮影画像は、後述するように、ウェブサーバ８を介して、ドライブレコーダ２から取得される画像である。ドライブレコーダ２の撮影画像が動画の場合、画像管理サーバ７は動画をそのまま保存してもよいし、動画に含まれるコマごとの静止画を保存してもよい。
【００３８】
このように、データベースサーバ６は主に文字情報を管理するのに対し、画像管理サーバ７は主に画像情報を管理する。ただし、上述したように、データベースサーバ６と画像管理サーバ７を一つのサーバに統合して、文字情報と画像情報とを関連づけて、ナンバープレート管理サーバ５から送信された各情報とともに、一台のサーバで管理してもよい。
【００３９】
ウェブサーバ８は、車両に搭載されたドライブレコーダ２と、データベースサーバ６及び画像管理サーバ７と、ユーザが所有する通信機器（後述する入力装置１５）との間で情報の送受を行うために設けられている。ドライブレコーダ２とユーザが所有する通信機器は各車両のユーザが所有するのに対し、データベースサーバ６と画像管理サーバ７は不特定多数の個人情報を管理することから、データベースサーバ６と画像管理サーバ７が管理する各情報の漏洩を防止するために、ユーザが所有する通信機器及びドライブレコーダ２と、データベースサーバ６及び画像管理サーバ７との間にウェブサーバ８を設けている。
【００４０】
ウェブサーバ８は、ドライブレコーダ２の撮影画像をインターネット９を介して画像管理サーバ７にアップロードする処理と、画像管理サーバ７が管理する画像をインターネット９を介して、ユーザが所有する通信機器で閲覧する処理とを行う。また、ドライブレコーダ２がウェブ閲覧機能と入力機能を備える場合には、ドライブレコーダ２からインターネット９を介してウェブサーバ８にアクセスし、画像管理サーバ７からの画像をドライブレコーダ２にて閲覧できるようにしてもよい。
【００４１】
ウェブサーバ８は、ユーザが所有するスマートフォン等の通信機器によってアクセス可能である。ただし、セキュリティ強化のために、ユーザの通信機器がインターネット９を介してウェブサーバ８へのアクセスを要求すると、ナンバープレート認証画面を表示して、認証処理を行うようにしている。ドライブレコーダ２のユーザが、ナンバープレート認証画面にて、自身の車両のナンバープレートの文字情報と、ＩＤと、パスワードを入力すると、ウェブサーバ８は、これらの入力情報に基づいて認証処理を行い、認証に成功した場合には、認証に成功したナンバープレートに対応する画像情報についてのみ、画像管理サーバ７からダウンロードや閲覧ができるようにする。なお、ドライブレコーダ２がウェブ閲覧機能と入力機能を備える場合には、ドライブレコーダ２の画面にナンバープレート認証画面を表示させて、ドライブレコーダ２で認証処理を行うようにしてもよい。
【００４２】
入力装置１５は、撮影装置３により撮影されたナンバープレートの車両のユーザが、ナンバープレートの文字情報を含む所定の認証情報を入力する。入力装置１５は、車両のユーザが所有するスマートフォン等の通信機器である。あるいは、ドライブレコーダ２が入力機能を備えている場合には、ドライブレコーダ２を入力装置１５として用いてもよい。
認証部１６は、入力装置１５で入力された認証情報に基づいて認証処理を行う。認証部１６は、例えばウェブサーバ８が兼ねている。ウェブサーバ８が認証部１６を兼ねることで、認証処理に失敗した場合には、ユーザの通信機器やドライブレコーダ２がデータベースサーバ６や画像管理サーバ７にアクセスするのを禁止でき、セキュリティを向上できる。
画像提供部１７は、認証部１６による認証処理に成功すると、認証処理に成功したユーザの車両のナンバープレートに対応するドライブレコーダ２の撮影画像を画像管理サーバ（第３制御装置）７から取得して当該ユーザに提供する。画像提供部１７は、例えばウェブサーバ８が兼ねている。
【００４３】
図２は撮影装置３で撮影した画像をカメラ制御サーバ４に送信する処理手順を示すフローチャートである。まず、特定の地点に設置された撮影装置３は、その地点の近くを通過する車両のナンバープレートを撮影する（ステップＳ１）。撮影装置３は、撮影されたナンバープレート画像をカメラ制御サーバ４に送信する（ステップＳ２）。カメラ制御サーバ４は、ナンバープレート画像に対してＯＣＲ解析を行って、ナンバープレートの文字情報を取得する（ステップＳ３）。
【００４４】
図３はナンバープレートの一例を示す図である。図２のステップＳ３では、図３のナンバープレートの場合は、文字情報「品川５８０  す  １２−５９」を取得する。
【００４５】
次に、カメラ制御サーバ４は、ナンバープレートの文字情報と、ナンバープレート画像を送信した撮影装置３の識別情報（カメラＩＤ）と、撮影日時情報とを関連づける（ステップＳ４）。
【００４６】
図４はカメラ制御サーバ４からナンバープレート管理サーバ５に情報を送信する処理手順を示すフローチャートである。まず、カメラ制御サーバ４は、ナンバープレートの文字情報と、ナンバープレート画像を送信した撮影装置３の識別情報（カメラＩＤ）と、撮影日時情報とをナンバープレート管理サーバ５に送信する（ステップＳ１１）。
【００４７】
ナンバープレート管理サーバ５は、これらの情報を受信したことをログに残す（ステップＳ１２）。ナンバープレート管理サーバ５は、撮影装置３の識別情報と、撮影装置３の設置場所との対応関係のテーブルを予め備えており、このテーブルを参照することで、受信された撮影装置３の識別情報から設置場所を特定する（ステップＳ１３）。
【００４８】
次に、ナンバープレート管理サーバ５は、ナンバープレートの文字情報と、撮影装置３の識別情報と、撮影日時情報と、撮影装置３の設置場所情報とを関連づけて登録する（ステップＳ１４）。次に、ナンバープレート管理サーバ５は、登録が完了したことをログに残すとともに、登録が完了したことをカメラ制御サーバ４に通知する（ステップＳ１５）。
【００４９】
カメラ制御サーバ４は、登録が完了した旨の通知を受けると、ナンバープレート管理サーバ５に送信した情報を削除する（ステップＳ１６）。
【００５０】
以上により、ナンバープレート管理サーバ５は、ナンバープレートの文字情報と、撮影装置３の識別情報と、撮影日時情報と、撮影装置３の設置場所情報とを関連づけて管理し、特定のナンバープレートの車両がいつどこを通過したかを把握することができる。
【００５１】
図５はナンバープレート管理サーバ５からデータベースサーバ６に情報を送信する処理手順を示すフローチャートである。まず、データベースサーバ６は、ナンバープレートの文字情報と、撮影装置３の識別情報と、撮影日時情報と、撮影装置３の設置場所情報とを関連づけてデータベースサーバ６に送信する（ステップＳ２１）。データベースサーバ６は、ナンバープレートの文字情報と、ナンバープレートのユーザ情報と、そのユーザの車両に搭載されたドライブレコーダ２の識別番号とを関連づけたデータベースを予め備えている。このデータベースを参照することで、データベースサーバ６は、受信したナンバープレートの文字情報から、ナンバープレートのユーザ情報とドライブレコーダ２の識別番号を取得し、ユーザ情報と、撮影装置３の設置場所と、ドライブレコーダ２の識別番号とを関連づけて管理する（ステップＳ２２）。
【００５２】
図５の処理により、データベースサーバ６は、特定のナンバープレートの車両を誰が所有しており、この車両がいつどこを通過したかを特定することができる。
【００５３】
図６はドライブレコーダ２から画像管理サーバ７に画像をアップロードする処理手順を示すフローチャートである。ユーザは、図６の処理を行うに先立って、画像管理サーバ７とデータベースサーバ６に対してドライブレコーダ２のユーザ登録を行う必要がある。ユーザ登録は、例えばユーザが所持するスマートフォン等の通信機器にて、インターネット９上の特定のサイトに接続することで行うことができる。ユーザ登録を行うことで、ユーザは、自身が所有するドライブレコーダ２の撮影画像を画像管理サーバ７にアップロードしたり、アップロード済の撮影画像をダウンロード又は閲覧することが可能になる。
【００５４】
図７はスマートフォン等の表示パネルに表示されるユーザ登録画面１０の一例を示す図である。図７のユーザ登録画面１０には、ユーザのナンバープレートの文字情報と、ドライブレコーダ２の識別情報（ドラレコＩＤ）と、パスワードと、ＥＴＣカード番号と、利用者の識別情報（利用者ＩＤ）と、利用者氏名と、住所と、電話番号とを入力する欄１０ａが設けられている。ユーザがユーザ登録画面１０内の各情報を入力すると、これらの情報はインターネット９とウェブサーバ８を介して、データベースサーバ６に登録される。また、ナンバープレートの文字情報と、ドライブレコーダ２の識別情報と、パスワードとは、画像管理サーバ７にも登録される。
【００５５】
ユーザ登録が完了した後、ユーザは、自身のスマートフォン等にて、インターネット９上の特定のサイトにアクセスして、ナンバープレート認証画面１１を表示させる（ステップＳ３１）。図８はナンバープレート認証画面１１の一例を示す図である。ナンバープレート認証画面１１には、ナンバープレートの文字情報と、ドライブレコーダ２のＩＤと、パスワードとを入力する欄が設けられている。ユーザがこれらの情報を入力して、認証ボタン１１ａを押すと、入力された各情報は、インターネット９を介して、ウェブサーバ８に入力される。ウェブサーバ８はユーザが入力した認証情報に基づいて認証処理を行う（ステップＳ３２）。ウェブサーバ８は、ナンバープレート認証画面１１の各入力欄に入力された認証情報が、ユーザ登録情報と一致する場合には、認証成功と判断する。
【００５６】
ウェブサーバ８による認証に失敗した場合には、再度ナンバープレート認証画面１１への各情報の入力を促す（ステップＳ３３）。認証に成功した場合には、ドライブレコーダ２内の画像を、インターネット９とウェブサーバ８を介して画像管理サーバ７にアップロードする処理を行う（ステップＳ３４）。画像管理サーバ７は、ドライブレコーダ２の識別番号（ドラレコＩＤ）と、ナンバープレートの文字情報と、ドライブレコーダ２の撮影画像と、撮影画像の撮影位置情報とを関連づけて管理する。
【００５７】
なお、撮影位置情報は、車両やドライブレコーダ２が所持するＧＰＳ（Global Positioning System）センサを用いて、ドライブレコーダ２が撮影画像と関連づけて取得する情報であり、画像管理サーバ７に撮影画像をアップロードする際には、撮影位置情報も撮影画像に関連づけてアップロードされる。
【００５８】
ドライブレコーダ２の撮影画像は、画像管理サーバ７へのアップロードが完了すると、ドライブレコーダ２から削除してもよいし、あるいは残しておいてもよい。ドライブレコーダ２の撮影画像をアップロード後に削除するか否かをユーザが選択できるようにしてもよい。
【００５９】
図９はドライブレコーダ２のユーザが画像管理サーバ７で管理する画像にアクセスする場合の所定手順を示すフローチャートである。まず、ユーザは、自身のスマートフォン等にて、インターネット９を介してウェブサーバ８にアクセスし、図８と同様のナンバープレート認証画面１１を表示させる（ステップＳ４１）。
【００６０】
ユーザがナンバープレート認証画面１１内の各入力欄に情報を入力して認証ボタン１１ａを選択すると、入力された各情報は、インターネット９を介してウェブサーバ８に入力されて、ウェブサーバ８にて認証処理が行われる（ステップＳ４２）。
【００６１】
ウェブサーバ８による認証に失敗した場合には、再度ナンバープレート認証画面１１への各情報の入力を促す（ステップＳ４３）。認証に成功した場合には、画像管理サーバ７が管理する画像へのユーザのアクセスを許可する（ステップＳ４４）。ここで、アクセスとは、例えば、ユーザの車両に搭載されたドライブレコーダ２の撮影画像の閲覧であり、ユーザ自身のスマートフォン等の表示パネルで撮影画像を閲覧することができる。これらの撮影画像は、ユーザが所有するドライブレコーダ２で撮影されたものであるため、ユーザが閲覧だけでなく、ダウンロードを希望する場合には、スマートフォン等に撮影画像の一部又は全部をダウンロードできるようにしてもよい。
【００６２】
図１０Ａは写真閲覧画面１２の一例を示す図である。図１０Ａの写真閲覧画面１２には、ユーザのナンバープレートの文字情報と、撮影場所の選択部１２ａと、撮影日の選択部１２ｂと、地図選択ボタン１２ｃと、検索ボタン１２ｄと、撮影画像を縮小したサムネイル画像１２ｅとが設けられている。
【００６３】
ユーザがサムネイル画像１２ｅのいずれかを選択すると、そのサムネイル画像１２ｅを拡大して表示してもよいし、あるいは撮影画像の動画の再生を行ってもよい。
【００６４】
また、ユーザが「ｍａｐ」と記載された地図選択ボタン１２ｃを選択すると、図１０Ｂのような地図１３が表示される。地図１３中には、撮影画像を撮影した場所がマーキングされており、ユーザがマーキングされたいずれかの場所を選択すると、その場所で撮影された画像１３ａが表示される。
【００６５】
画像管理サーバ７が管理するドライブレコーダ２の撮影画像は、ユーザが自主的に撮影画像のアップロードを指示した場合に行われるが、ユーザがアップロードを指示しなかった場合は、ユーザが図１０Ａの写真閲覧画面１２にアクセスしたときに、撮影画像の閲覧ができない。この場合、例えば図１０Ｃの画面１４を表示させる。この画面１４内には、画像のアップロードを指示するボタン１４ａと、アップロードを中止する終了ボタン１４ｂと、写真閲覧画面１２を表示させるためのボタン１４ｃが設けられている。ユーザがこのボタン１４ａを選択すると、ドライブレコーダ２から画像管理サーバ７への撮影画像のアップロードが行われて、アップロード完了後にユーザは撮影画像を閲覧可能となる。
【００６６】
本実施形態による画像提供システム１を利用するユーザの数が増えてくると、画像管理サーバ７に撮影画像を登録する処理が一時期に集中するおそれがあり、画像管理サーバ７の処理負荷が大きくなって、撮影画像の登録に時間がかかったり、撮影画像が正常に登録されなかったりする。これらの不具合を防止するために、撮影画像の自動登録を行ってもよい。
【００６７】
図１１は画像管理サーバ７への撮影画像の自動登録を行う処理手順を示すフローチャートである。図１１の処理を行うに先立って、図７のユーザ登録画面１０にて、ドライブレコーダ２のユーザ登録を行う必要がある。
【００６８】
撮影装置３で撮影されたナンバープレートの文字情報等がデータベースサーバ６に新たに登録されると、データベースサーバ６は、画像管理サーバ７にナンバープレートの文字情報等が新たに登録された旨を通知する（ステップＳ５１）。
【００６９】
画像管理サーバ７は、ステップＳ５１の通知を受けると、ウェブサーバ８に対して、対応するドライブレコーダ２の撮影画像のアップロードを指示する（ステップＳ５２）。ウェブサーバ８は、指示に従って、対応するドライブレコーダ２にアクセスする（ステップＳ５３）。このとき、対応するドライブレコーダ２を搭載した車両のエンジンが停止していた場合など、対応するドライブレコーダ２が通電されていないか否かを判定する（ステップＳ５４）。通電されていない場合には、撮影画像のアップロードを中止する（ステップＳ５５）。対応するドライブレコーダ２が通電されている場合には、対応するドライブレコーダ２に撮影された撮影画像を、インターネット９とウェブサーバ８を介して、画像管理サーバ７にアップロードする（ステップＳ５６）。
【００７０】
図１１の処理によれば、ユーザが自主的にアップロードの処理手続を行わなくても、撮影装置３でナンバープレート画像が撮影されたことを起点として、画像管理サーバ７が自動的に、対応するドライブレコーダ２に撮影画像を取得しに行くため、ユーザの手を煩わせることなく、ドライブレコーダ２の撮影画像を自動的に画像管理サーバ７にアップロードして管理できる。
【００７１】
このように、第１の実施形態では、特定の地点に設置された撮影装置３にて、車両のナンバープレートが撮影されて、その文字情報が抽出された時点を起点として、ドライブレコーダ２の撮影画像を画像管理サーバ７にアップロードして、ナンバープレートの文字情報と関連づけて管理するため、車両が撮影装置３の近くを通過したときのドライブレコーダ２の撮影画像をユーザに提供でき、ドライブレコーダ２の撮影画像を有効利用することができる。
【００７２】
また、データベースサーバ６と画像管理サーバ７は、ユーザが所持するドライブレコーダ２の撮影画像やユーザの個人情報などを管理するが、これらの情報が漏洩しないように、種々の対策を行うため、セキュリティに配慮しつつ、ドライブレコーダ２の撮影画像を有効利用できる。
【００７３】
さらに、カメラ制御サーバ４は、撮影装置３の設置場所の情報を意図的に管理しないようにし、かつカメラ制御サーバ４からナンバープレート管理サーバ５に情報を送信できても、その逆方向の情報の送信はできないようにするため、例えばカメラ制御サーバ４が不正にアクセスされても、ユーザのナンバープレート画像や個人情報が漏洩するおそれがなくなる。
【００７４】
（第２の実施形態）
第２の実施形態では、画像管理サーバ７が管理するドライブレコーダ２の撮影画像を、そのドライブレコーダ２を所有するユーザの要求に応じて、印刷するサービスを行うものである。
【００７５】
図１２は本開示の第２の実施形態による画像提供システム１の概略構成を示すブロック図である。図１２の画像提供システム１は、図１の構成にプリントシステム（プリント装置）２０を追加したものである。
【００７６】
プリントシステム２０は、インターネット９やＶＰＮ（Virtual Private Network）等のネットワーク２１を介して画像管理サーバ７に接続されている。プリントシステム２０は、画像管理サーバ７からネットワーク２１を介して送信された画像を印刷する。
【００７７】
画像管理サーバ７が管理するドライブレコーダ２の撮影画像の印刷サービスの利用を受けたいユーザは、スマートフォン等の通信機器の表示パネルに、図８のナンバープレート認証画面１１を表示させて、ページ内の各入力欄に情報を入力して、認証ボタン１１ａを選択する。認証に成功すると、図１３のような写真選択画面２２が表示される。写真選択画面２２中の撮影場所２２ａと撮影日時２２ｂは、ユーザが任意に選択可能であり、ユーザが新たな撮影場所２２ａと撮影日時２２ｂを選択すると、その撮影場所２２ａと撮影日時２２ｂに関連したサムネイル画像２２ｃが表示される。各サムネイル画像２２ｃの下には、そのサムネイル画像２２ｃの印刷を希望するときに設定される枚数ボタン２２ｄが表示されている。ユーザが印刷するべき枚数の設定を完了すると、図１４Ａのような写真購入画面２３が表示される。この画面２３内には、各画像の印刷枚数が表示される他、決済方法の選択を行うためのラジオボタン２３ａ〜２３ｄが表示される。
【００７８】
例えば、ユーザがＥＴＣカードで決済のラジオボタン２３ａを選択すると、印刷料金がＥＴＣ料金に加算される。また、ユーザがＥＴＣカード以外で支払いのラジオボタン２３ｂを選択すると、ユーザの個人情報等を入力する欄と、コンビニ決済を選択するラジオボタン２３ｃと、別のクレジットカードでの決済を選択するラジオボタン２３ｄとが表示される。
【００７９】
図１４Ａの画面内の次へボタン２３ｅを選択すると、図１４Ｂの画面２４が表示される。図１４Ｂの画面には、画像を印刷した印画紙の送付先情報を選択するラジオボタン２４ａ、２４ｂが設けられている。ユーザがラジオボタン２４ａを選択すると、データベースサーバ６が管理するユーザの自宅に印画紙が送付される。また、ユーザがラジオボタン２４ｂを選択すると、ユーザが入力した任意の送付先情報に印画紙が送付される。ユーザは、ラジオボタン２４ａ又は２４ｂの選択後に、確定ボタン２４ｃを選択することにより、写真購入処理が完了する。
【００８０】
このように、第２の実施形態では、画像管理サーバ７が管理するドライブレコーダ２の撮影画像を、ユーザの希望に応じてプリントシステム２０に送信して印刷し、印刷した印画紙をユーザに送付するため、ユーザは、プリンタを所持していなくても、ドライブレコーダ２の撮影画像のうち、印刷したい任意の画像を簡易なボタン操作で選択して印刷を注文でき、ユーザの利便性が向上する。
【００８１】
（第３の実施形態）
第３の実施形態は、ユーザがプリントシステム２０の設置場所に出向いて、プリントシステム２０を操作して、画像管理サーバ７が管理するドライブレコーダ２の撮影画像を印刷するものである。
【００８２】
図１５は本開示の第３の実施形態による画像提供システム１の概略構成を示すブロック図である。図１５の画像提供システム１は、ユーザがその場で印刷を指示して、その場で印刷を行うプリントシステム２０を備えている。
【００８３】
本実施形態によるプリントシステム２０は、繁華街や家電量販店、ショッピングセンタ、宿泊施設等に設置されているものを想定している。このプリントシステム２０は、ユーザがスマートフォン等で撮影した画像や、手持ちしたメモリカードやＵＳＢメモリに格納された画像をその場で印刷することができる。本実施形態は、このような街中にあるプリントシステム２０を利用して、ドライブレコーダ２の撮影画像を印刷できるようにしたものである。
【００８４】
図１６は図１５のプリントシステム２０の正面図である。図１６のプリントシステム２０は、プリンタを内蔵する本体部２０ａと、本体部２０ａの上に配置されるＰＣ（Personal Computer）２０ｂとを備えている。
【００８５】
本体部２０ａの上面には天板２０ｃが設けられている。この天板２０ｃにはタッチ操作が可能な表示パネル２０ｄが設けられている。また、ＰＣ２０ｂの表示パネル２０ｅも、タッチ操作が可能とされている。
【００８６】
本体部２０ａとＰＣ２０ｂとの間には、ＳＤカードやＵＳＢメモリ等のメディア挿入口２０ｆが設けられている。本体部２０ａの正面の右側には、コイン投入口２０ｇと、お札投入口２０ｈと、釣り銭返却口２０ｉとが設けられている。本体部２０ａの正面の左側には、前面扉２０ｊが設けられている。前面扉２０ｊの内部にはプリンタが配置されている。プリンタで印刷された印刷物は、前面扉２０ｊに設けられた排出部の下端部にある集積部内に集積される。
【００８７】
ユーザは、プリントシステム２０の設置場所に出向いて、第２の実施形態と同様に、自身のスマートフォン等の画面にナンバープレート認証画面１１を表示させて、必要な情報を入力して認証処理を行う。認証に成功すると、スマートフォン等の画面に、画像管理サーバ７で管理しているドライブレコーダ２の撮影画像のサムネイル画像が表示される。このうち、印刷したい画像を選択して、印刷を指示すると、画像管理サーバ７からプリントシステム２０に画像ファイルが送信され、印画紙への印刷が行われる。
【００８８】
ユーザが、自身のスマートフォンを用いずに、プリントシステム２０にてナンバープレート認証を行う変形例も考えられる。この場合、ユーザは、プリントシステム２０のＰＣ２０ｂの表示パネル２０ｅにてナンバープレート認証を行う。図１７はＰＣ２０ｂの表示パネル２０ｅに表示されるナンバープレート認証画面１１の一例を示している。ユーザは、この画面１１に従って、所有する車両のナンバープレートの文字情報とＩＤとパスワードを入力して、認証ボタン１１ａを選択する。認証に成功すると、図１８Ａに示すようなＰＣ２０ｂの表示パネル２０ｅに写真選択画面２２が表示される。ユーザが、写真選択画面２２内で、撮影場所２２ａと撮影日時２２ｂを選択すると、該当する撮影場所及び撮影日時に撮影されたドライブレコーダ２の撮影画像のサムネイル画像２２ｃが表示される。撮影画像が動画の場合、静止画のサムネイル画像２２ｃが表示される。このとき、ドライブレコーダ２の撮影画像がプリントシステム２０にまだアップロードされていない場合は、プリントシステム２０は、画像管理サーバ７にアクセスして、画像管理サーバ７から対応する撮影画像を取得する。あるいは、プリントシステム２０は、インターネット９とウェブサーバ８を介して、ドライブレコーダ２から撮影画像を取得してもよい。あるいは、プリントシステム２０は、ドライブレコーダ２の撮影画像がすでにユーザのスマートフォン等にダウンロードされている場合は、スマートフォン等から撮影画像を取得してもよい。プリントシステム２０への撮影画像のアップロード中は、図１８Ｂの画面１４に示すように、画像のアップロード中である旨を表示し、アップロードが完了するまでユーザに待機を促す。
【００８９】
ユーザが写真選択画面２２にて、印刷を希望する画像の選択を完了した場合、図１８Ｃの画面２５に示すように、ユーザの選択した画像と枚数をまとめて表示する。ユーザが確定ボタン２５ａを選択すると、図１８Ｄの画面２６に示すように、サービス利用料金を表示する。ユーザがサービス利用料金分の貨幣をプリントシステム２０のコイン投入口やお札投入口に投入すると、印刷が開始される。
【００９０】
このように、第３の実施形態では、街中に設置されているプリントシステム２０にて、ドライブレコーダ２の撮影画像を手軽に印刷することができる。その際の印刷指示は、ユーザが所持するスマートフォン等の通信機器で行ったり、プリントシステム２０の画面操作で行うことが考えられ、いずれにしても、簡易な操作で、ドライブレコーダ２の撮影画像中の所望の画像の印刷を行うことができる。
【００９１】
本実施形態によれば、例えば、ユーザが車でドライブを行って、その日のドライブを終えて宿泊施設に到着したときに、宿泊施設にあるプリントシステム２０にて、その日の絶景画像をその場で印刷でき、運転で景色を十分に味わえなかったユーザが本日のドライブを振り返ることができる。
【００９２】
（第４の実施形態）
上述した第１〜第３の実施形態による画像提供システム１の付加機能として、ドライブレコーダ２を搭載した車両のユーザに特典情報を付与することができる。
【００９３】
図１９は本開示の第４の実施形態による画像提供システム１の概略構成を示すブロック図である。図１９の画像提供システム１は、図１５の画像提供システム１に特典情報管理サーバ２７を追加したものである。なお、図１９のプリントシステム２０は、図１又は図１２の画像提供システム１に特典情報管理サーバ（第７制御装置）２７を追加した構成も考えられる。
【００９４】
特典情報管理サーバ２７は、商品及び有料サービスの少なくとも一方に関する特典情報を登録する。また、特典情報管理サーバ２７は、データベースサーバ６と画像管理サーバ７が管理する各情報と特典情報とに基づいて、撮影装置３で撮影されたナンバープレートの車両のユーザに付与する特典情報の適用率を算出する適用率算出部２７ａを有する。
【００９５】
ここで、特典情報は、例えば値引き情報を含んでいてもよい。この場合、適用率算出部２７ａが算出する適用率は、値引き情報の値引き率を含んでおり、特典情報管理サーバ２７は、値引き率を反映させた値引き情報をユーザに提供する特典情報提供部２７ｂを有する。特典情報提供部２７ｂは、インターネット９を介して、ユーザが所持するスマートフォン等の通信機器１５に値引き情報を提供する。
【００９６】
値引き情報の一例は、ドライブレコーダ２の撮影画像の撮影場所と、ナンバープレートに記載されているユーザの本拠地の陸運支局の自動車検査登録事務所からの距離に応じた値引き情報である。すなわち、上述した自動車検査登録事務所を起点として、ナンバープレートを撮影した撮影装置３までの距離である。
【００９７】
より具体的には、距離が１００ｋｍ以下の場合、値引きなしとする。距離が１０１ｋｍ〜５００ｋｍの場合、値引き率を２０％とする。距離が５００ｋｍ以上の場合、値引き率を３０％とする。
【００９８】
上述した距離は、ＥＴＣカードの登録住所を起点としてもよい。また、どこを起点として距離を計算するかを、ユーザが選択又は設定できるようにしてもよい。ただし、ナンバープレートのひらがな文字が「わ」又は「れ」の場合、レンタカーであるため、ユーザのＥＴＣカードの登録住所を起点として距離を計算するのが望ましい。
【００９９】
値引き情報は、距離だけでなく、種々の条件によって設定することができる。例えば、ナンバープレートが品川ナンバーだったときに、「川」が付く地域（例えば、神奈川県や香川県、川崎市など）内の撮影装置３でそのナンバープレートが撮影された場合に、画像の印刷料金を値引きしてもよい。これは一例であり、どのような条件のときに、値引き率をどのように設定するかは任意である。
【０１００】
以下に、本実施形態の一具体例を説明する。品川ナンバーの車両に乗車しているＡさんが香川県丸亀町にうどんを食べに行く場合、（１）自宅から目的地までマイカーで移動する場合と、（２）自宅の最寄り駅から列車に乗車し、途中からレンタカーに乗車して目的地に行く場合とが考えられる。
【０１０１】
（１）の場合、品川ナンバーは、担当陸運局が「東京都品川区東大井１丁目１２−１７」で登録されているため、上記の住所を起点として、今回の行程で最も遠かった料金所までの距離で高速料金を計算する。
【０１０２】
例えば、距離が６８５ｋｍだったとすると、３０％の値引き率が適用される。また、目的地の香川県丸亀町は、ナンバープレートの「川」と一致するので、特定地域割引が適用されて、２０％の値引き率が適用されるものとする。
【０１０３】
したがって、高速道路のＥＴＣ料金が10,000万円の場合、10,000×(1−0.3)×(1−0.2)＝5,600円に値引きされる。
【０１０４】
（２）の場合、例えば、Ａさんが東京駅から新神戸駅まで新幹線で移動し、新神戸駅周辺でレンタカーを借りて、自身のＥＴＣカードを使って、香川県丸亀町まで移動したとする。この場合、ナンバープレートのひらがな文字が「わ」か「れ」のため、ユーザの住所から最も遠かった料金所までの距離に基づいて、値引き率を決定してもよい。
【０１０５】
なお、上述した例では、特典情報として、距離に応じて高速料金の値引き率を設定して、高速料金を値引く例を説明したが、特典情報は、必ずしも値引き情報には限らない。例えば、距離に応じてポイントを可変させ、ポイントの大きさに応じた商品やサービスをユーザに付与してもよい。例えば、ポイントの大きさに応じて、ユーザがプリントシステム２０で無料で印刷可能な枚数を変えてもよい。あるいは、ポイントの大きさに応じて、ユーザに特産品等を無料又は値引き料金で提供してもよい。
【０１０６】
このように、第４の実施形態では、撮影装置３で撮影されたナンバープレートの文字情報に基づいて、種々の特典情報をユーザに付与することができる。ユーザ自身で、登録等の面倒な手続を取らなくても、撮影されたナンバープレートの文字情報に基づいて特典情報が付与されるため、撮影装置３が設置された場所を調べて出かけるユーザの数を増やすことができ、観光地を訪問する人の数を増やすことができ、観光地誘致につながる。
【０１０７】
上述した実施形態で説明した画像提供システム１の少なくとも一部は、ハードウェアで構成してもよいし、ソフトウェアで構成してもよい。ソフトウェアで構成する場合には、画像提供システム１の少なくとも一部の機能を実現するプログラムをフレキシブルディスクやＣＤ−ＲＯＭ等の撮影媒体に収納し、コンピュータに読み込ませて実行させてもよい。撮影媒体は、磁気ディスクや光ディスク等の着脱可能なものに限定されず、ハードディスク装置やメモリなどの固定型の撮影媒体でもよい。
【０１０８】
また、画像提供システム１の少なくとも一部の機能を実現するプログラムを、インターネット９等の通信回線（無線通信も含む）を介して頒布してもよい。さらに、同プログラムを暗号化したり、変調をかけたり、圧縮した状態で、インターネット９等の有線回線や無線回線を介して、あるいは撮影媒体に収納して頒布してもよい。
【０１０９】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【符号の説明】
【０１１０】
１  画像提供システム、２  ドライブレコーダ、３  撮影装置、４  カメラ制御サーバ（第１制御装置）、５  ナンバープレート管理サーバ（第２制御装置）、６  データベースサーバ（第５制御装置）、７  画像管理サーバ（第３制御装置、第６制御装置）、８  ウェブサーバ（第４制御装置）、９  インターネット、１０  ユーザ登録画面、１１  ナンバープレート認証画面、１２  写真閲覧画面、１３  地図、１６  認証部、１７  画像提供部、２０  プリントシステム（プリント装置）、２７  特典情報管理サーバ（第７制御装置）、２７ａ  適用率算出部
【図１】
2020135552.tif 000003
【図２】
2020135552.tif 000004
【図３】
2020135552.tif 000005
【図４】
2020135552.tif 000006
【図５】
2020135552.tif 000007
【図６】
2020135552.tif 000008
【図７】
2020135552.tif 000009
【図８】
2020135552.tif 000010
【図９】
2020135552.tif 000011
【図１０Ａ】
2020135552.tif 000012
【図１０Ｂ】
2020135552.tif 000013
【図１０Ｃ】
2020135552.tif 000014
【図１１】
2020135552.tif 000015
【図１２】
2020135552.tif 000016
【図１３】
2020135552.tif 000017
【図１４Ａ】
2020135552.tif 000018
【図１４Ｂ】
2020135552.tif 000019
【図１５】
2020135552.tif 000020
【図１６】
2020135552.tif 000021
【図１７】
2020135552.tif 000022
【図１８Ａ】
2020135552.tif 000023
【図１８Ｂ】
2020135552.tif 000024
【図１８Ｃ】
2020135552.tif 000025
【図１８Ｄ】
2020135552.tif 000026
【図１９】
2020135552.tif 000027